Podtech/llm-jp-corpus-v4-ja_patent huggingface dataset:
(57)【特許請求の範囲】
【請求項１】
拡大仮想化の画面を上、下、左、右の画面に配置しこの４つの中から１つ実際の画面を選ぶことを特徴とする表示方法において、拡大仮想化の画面に、他の拡大仮想化の画面を選ぶためのメニューボタンを設け、メニューボタンの位置と形は拡大仮想化の画面の位置によって決まり、
拡大仮想化の画面が上ならメニューボタンの位置は画面の中心より上であり形は十字ボタンの上部分だけが欠けている形であり、拡大仮想化の画面が下ならメニューボタンの位置は画面の中心より下であり形は十字ボタンの下部分だけが欠けている形であり、拡大仮想化の画面が左ならメニューボタンの位置は画面の中心より左であり形は十字ボタンの左部分だけが欠けている形であり、拡大仮想化の画面が右ならメニューボタンの位置は画面の中心より右であり形は十字ボタンの右部分だけが欠けている形である、表示方法。
【請求項２】
拡大仮想化の画面を上、下、左、右の画面に配置しこの４つの中から１つ実際の画面を選ぶことを特徴とする表示方法において、拡大仮想化の画面に、他の拡大仮想化の画面を選ぶためのメニューボタンを設け、メニューボタンの位置と形は拡大仮想化の画面の位置によって決まり、
拡大仮想化の画面が上ならメニューボタンの位置は画面の中心より下であり形は十字ボタンの上部分だけが欠けている形であり、拡大仮想化の画面が下ならメニューボタンの位置は画面の中心より上であり形は十字ボタンの下部分だけが欠けている形であり、拡大仮想化の画面が左ならメニューボタンの位置は画面の中心より右であり形は十字ボタンの左部分だけが欠けている形であり、拡大仮想化の画面が右ならメニューボタンの位置は画面の中心より左であり形は十字ボタンの右部分だけが欠けている形である、表示方法。
【発明の詳細な説明】
【技術分野】
【０００１】本発明は、仮想画面の構成とボタンの形を工夫することにより解決するものである。
【背景技術】
【０００２】従来の画面は狭かった。画面に入りきらない要素は複雑な手段をとって表示していた。
【発明の概要】
【課題を解決するための手段】
【０００３】図１の点線の四角が拡大された仮想の画面であり、実線の四角は実際の画面である。
図１は仮想の画面を上、下、左、右に配置し、その中から実際の画面を選ぶという図である。
常に１つの画面が選ばれているために拡大仮想化の画面は３つである。その状態を表したのが図２である。
このままでは今現在どこに実際の画面があるのか分かりにくくなるのでメニューボタンを配置する。
１つ目のメニューボタンの配置方法と形は、拡大仮想化の画面が上ならメニューボタンの位置は画面の中心より上であり形は十字ボタンの上部分だけが欠けている形である。拡大仮想化の画面が下ならメニューボタンの位置は画面の中心より下であり形は十字ボタンの下部分だけが欠けている形である。拡大仮想化の画面が左ならメニューボタンの位置は画面の中心より左であり形は十字ボタンの左部分だけが欠けている形である。拡大仮想化の画面が右ならメニューボタンの位置は画面の中心より右であり形は十字ボタンの右部分だけが欠けている形である。これを表したのは図３である。Ｔ字になった十字ボタンを選択することにより、その方向の拡大仮想画面をを選べる。
２つ目のメニューボタンの配置方法と形は、拡大仮想化の画面が上ならメニューボタンの位置は画面の中心より下であり形は十字ボタンの上部分だけが欠けている形である。拡大仮想化の画面が下ならメニューボタンの位置は画面の中心より上であり形は十字ボタンの下部分だけが欠けている形である。拡大仮想化の画面が左ならメニューボタンの位置は画面の中心より右であり形は十字ボタンの左部分だけが欠けている形である。拡大仮想化の画面が右ならメニューボタンの位置は画面の中心より左であり形は十字ボタンの右部分だけが欠けている形である。これを表したのは図４である。Ｔ字になった十字ボタンを選択することにより、その方向の拡大仮想画面をを選べる。
３つ目のメニューボタンの配置方法は、拡大仮想化の画面が上ならメニューボタンの位置は画面の中心より左と画面の中心より右と画面の中心より下の３箇所である。拡大仮想化の画面が下ならメニューボタンの位置は画面の中心より左と画面の中心より右と画面の中心より上の３箇所である。拡大仮想化の画面が左ならメニューボタンの位置は画面の中心より上と画面の中心より右と画面の中心より下の３箇所である。拡大仮想化の画面が右ならメニューボタンの位置は画面の中心より上と画面の中心より左と画面の中心より下の３箇所である。楕円形がメニューボタンである。楕円形のメニューボタンを選択することにより、その方向の拡大仮想画面を選べる。
【発明の効果】
【０００４】直感的に図形的に複数の要素を早く選択できる。
【図面の簡単な説明】
【０００５】
【図１】点線の四角が拡大仮想化の画面で実線の四角が実際の画面である。拡大仮想化の画面から実際の画面を選ぼうとする図である。
【図２】実際に画面をそれぞれ選んだ場合の図である。
【図３】４つの実線の四角が実際の画面であり、Ｔの形の物とＴの形の物の角度を９０度変更した物と１８０度変更した物と２７０度変更した物がメニューボタンである。
【図４】４つの実線の四角が実際の画面であり、Ｔの形の物とＴの形の物の角度を９０度変更した物と１８０度変更した物と２７０度変更した物がメニューボタンである。
【図５】４つの実線の四角が実際の画面であり、楕円形がメニューボタンである図。
【図１】
0005149449.tif 000002
【図２】
0005149449.tif 000003
【図３】
0005149449.tif 000004
【図４】
0005149449.tif 000005
【図５】
0005149449.tif 000006
(57)【特許請求の範囲】
【請求項１】
熱可塑性添加物を介して互いに結合されているテープ（１，２）から成る網であって、少なくとも２つの群で配置されかつ群をなして互いに交差するテープ（１，２）が、２つの覆い層（３，４）の間でその相対位置を固定され、これらの覆い層（３，４）が、テープ（１，２）に面しかつ熱可塑性添加物から成る結合層と、高い引張り強度の支持層を持ち、結合層を介して互いにかつテープ（１，２）に結合されていることを特徴とする、網。
【請求項２】
少なくとも１つの覆い層（３，４）が、互いに間隔をおいて平行に延びる層条片（５，６）をもっていることを特徴とする、請求項１に記載の網。
【請求項３】
両方の覆い層（３，４）が平行な層条片（５，６）を持ち、両方の覆い層（３，４）の層条片（５，６）が互いに重なっていることを特徴とする、請求項２に記載の網。
【発明の詳細な説明】
【技術分野】
【０００１】    本発明は、熱可塑性添加物を介して結合されているテープから成る網に関する。
【背景技術】
【０００２】  網目を形成するため房状テープが横テープの周りに巻付けられている編物の形の網を、特に包装機械において使用するのに十分小さい伸びを持つように構成するために、横テープ及び房状テープより低い溶融温度を持つ熱可塑性プラスチックから成る付加的なテープを横テープ及び／又は房状テープで編むことは公知であり（国際公開第２００４／２０７２１号）、従って編物の高温プレス後すべての交差個所及び結合個所に溶融結合部又は封印結合部が生じ、同時に網が滑らかにされる。しかしこの編物の製造に伴う費用が不利である。更に高温プレスにより滑らかにしても、網目形成のため房状テープを横テープに巻付けることにより生じる接続点が必要になるため、厚い個所が避けられない。
【発明の概要】
【発明が解決しようとする課題】
【０００３】  従って本発明の基礎になっている課題は、比較的簡単な構造を持ち、殆ど厚い個所を形成せず、高度の要求にも応じる強度特性のための有利な前提条件を与えるように、最初にあげた種類の網を構成することである。
【課第を解決するための手段】
【０００４】  本発明は、少なくとも２つの群で配置されかつ群をなして互いに交差するテープが、２つの覆い層の間でその相対位置を固定され、これらの覆い層が、テープに面しかつ熱可塑性添加物から成る結合層と、高い引張り強度の支持層を持ち、結合層を介して互いにかつテープに結合されていることによって、与えられた課題を解決する。
【０００５】  網は編物又は織物から成っておらず、互いに群をなして交差するテープを持つ挿入片から成るので、テープの交差範囲に網の取扱いを妨げる厚い個所が生じない、という利点を持つ簡単な製造条件が生じる。なぜならば、平らにのみ互いに接するテープは、なるべく高密度のポリエチレンから非常に薄く構成可能であり、例えば１０〜２０μｍの厚さを持つからである。これらの交差して置かれるテープの相対位置の固定は、テープをその間に含む２つの覆い層によって行われ、これらの覆い層は少なくとも２つの層から構成され、高い引張り強度の支持層のほかに熱可塑性材料から成る結合層を含み、この熱可塑性材料は、網の高温プレスの際両方の覆い層及び覆い層とその間にあるテープの溶融結合又は高温封印を行うので、テープは熱可塑性添加物を介して覆い層の支持層に移動しないように結合され、これらの支持層によりその相対位置を固定される。テープを覆い層に結合する挿入片の熱処理により更に、網が僅かな残留収縮又は伸びしか受けない。
【０００６】  特別な使用目的のために、覆い層が同時押出しされる２つのフィルムから形成可能であり、これらのフィルムの間に挿入網が固定され、この場合挿入網がフィルムの適当な補強片である。しかし包装のために使用する場合、網特性が維持されるようにするので、互いに間隔をおいて延びる平行な層条片から覆い層が形成され、両方の覆い層の層条片は互いに重なり、それにより十字状に配置されるテープによって形成される網の網目を横断する。従ってテープは、両方の覆い層の共同作用する層条片の間で、これらの層条片に沿って移動しないように固定される。網織物の網目幅に比べて層条片の相互間隔及びこれらの層条片の幅は、網の形状安定性を決定する。
【０００７】  本発明の範囲内において、覆い層を少なくとも部分的に、対向する覆い層の層条片と共同作用するフィルムとして構成することも可能である。覆い層を介して、テープと覆い層との移動しない結合が行われるだけでなく、その反対側の層にあるテープが覆い層の支持層により固定されることが重要であり、この固定は、フィルム状覆い層によっても、テープの幅より著しく狭い幅を持つ層条片によっても行うことができる。
【０００８】  図面には本発明の実施例が示されている。
【図面の簡単な説明】
【０００９】
【図１】  本発明による網を一部切欠いた概略平面図で示す。
【図２】  図１のＩＩ−ＩＩ線に沿う概略断面図を拡大寸法で示す。
【図３】  図１のＩＩＩ−ＩＩＩ線に沿う断面図を図２と同じように示す。
【発明を実施するための形態】
【００１０】  図１に示す網は、互いに交差するテープ１，２の２つの群から成る挿入片を示し、これらのテープ１，２は、互いに間隔をおいて設けられる平行な覆い条片５及び６の形の２つの覆い層３，４により、その相対位置を固定される。図１からわかるように、図１の表示によれば下の覆い層を形成する一方の覆い層３の層条片５と他方の上の覆い層４の覆い条片６とが互いに重なっているので、テープ１，２をその交差個所で互いに結合する必要なしに、テープ１，２が互いに結合される層条片５，６の間に固定される。
【００１１】  覆い層３，４が交差して配置されるテープ１，２の位置に関してその役割を果たすことができるようにするため、これらの覆い層３，４又は層条片５，６は、少なくとも２つの層即ち十分な引張り強度を持つ支持層と支持層のテープ１，２に面する側にある結合層から構成されている。この結合層は、網挿入片の高温プレスの際覆い層３，４の互いに当接する層条片５，６の結合又は層条片５，６と当接するテープ１，２との結合を溶融結合又は高温封印により行う熱可塑性材料から成っている。従って層条片は、例えば高密度ポリエチレンから成る支持層及び低密度ポリエチレンから成る結合層を持つことができる。この目的のため高密度ポリエチレン及び低密度ポリエチレンから成る同時押出しフィルムを条片に切断することができる。テープ自体は、それが生じる荷重を吸収できるように選ばれる。従ってこれらのテープも同様に高密度ポリエチレンから成り、その際低密度ポリエチレンによる被覆は可能であるが、必要ではない。
【００１２】  網挿入片の高温プレス後、形状安定性を持つけれども非常に小さい残留収縮及び残留伸びを持ちかつ同じような網ただしフィルム等にも溶接可能な網が得られる。
【図１】
0005354405.tif 000002
【図２】
0005354405.tif 000003
【図３】
0005354405.tif 000004
(57)【特許請求の範囲】
【請求項１】
実質的にポリエチレンテレフタレート製プラスチックで構成される容器に充填することを特徴とする、ミノキシジル配合育毛剤の着色防止方法。
【請求項２】
実質的にポリエチレンテレフタレート製プラスチックで構成される、ミノキシジル配合育毛剤が充填された容器。
【発明の詳細な説明】
【技術分野】
【０００１】
本発明は、ミノキシジルを配合した育毛剤の着色防止方法に関する。
【背景技術】
【０００２】
ミノキシジルは、化学名を６−（１−ピペリジニル）−２，４−ピリジンジアミン−３−オキサイドと称し、育毛剤としての適用が記載されている（特許文献１参照）。
【０００３】
ミノキシジルを配合した育毛剤は、世界的に使用され脱毛症の治療に用いられている。しかし、外国の製品は、経時的に製剤が黄色に変色する欠点があり、使用時に衣類の汚れや使用感の低下など製品価値を低下させる場合があった。ミノキシジル配合の育毛剤容器の材質としてはＰＥ（ポリエチレン）が用いられているが、経時着色するので好ましい材質の容器とは言い難い。
【０００４】
ポリエチレンテレフタレート製プラスチック（ＰＥＴ）は、透明性がよく、強度的にもすぐれているうえ、気体や水分等の遮断性があり、耐熱性がある。コーラ飲料容器、炭酸飲料、しょうゆなどの大型ボトルに広く使われている。
【０００５】
【特許文献１】米国特許公報第４１３９６１９号
【発明の開示】
【発明が解決しようとする課題】
【０００６】
本発明の目的は、ミノキシジルを配合した育毛剤の経時的な着色を防止する方法を提供することにある。
【課題を解決するための手段】
【０００７】
本発明者らは、ある種の材質の容器を用いれば製剤の経時的な着色を防ぐことができることを見出し、本発明を完成した。
【０００８】
すなわち、本発明は、実質的にポリエチレンテレフタレート製プラスチックで構成される容器に封入することを特徴とする、ミノキシジル配合育毛剤の着色防止方法である。
【発明の効果】
【０００９】
後の試験例記載の通り、ポリエチレンテレフタレート製容器に充填した場合、ミノキシジルを配合した育毛剤の経時的な着色を防ぐことが可能になった。一方、従来使われていたポリエチレンまたはポリプロピレン製の容器では着色防止効果は不十分であった。
【発明を実施するための最良の形態】
【００１０】
本発明で使用する容器の材質は、テレフタル酸またはそのジメチルエステルとエチレングリコールを出発原料とする重合成分を５０％以上含む基ポリマーを主成分とするポリエチレンテレフタレート製プラスチック（ＰＥＴ）である。
【００１１】
本発明で使用する容器は、食品、添加物等の規格基準、乳等省令、米国のＦＤＡ規格（２１ＣＦＲ）で規格されている程度のものであればよい。その他のポリエステルなどのプラスチックを発明の効果を損なわない程度配合することもでき、実質的にＰＥＴ（ポリエチレンテレフタレート）であればよい。
【００１２】
ミノキシジルは薬理活性が高く、十分な育毛剤効果を得るために、１日の投与量を正確にする必要があり、定量注出型の容器は必要になっている。この定量注出型容器本体の材質としても、ＰＥＴ（ポリエチレンテレフタレート）が好ましいが、特にアプリケーター部分の材質に関して、計量部分がポリエチレン、ポリプロピレン、ポリアセタール、ポリメチルペンテンから選ばれ、塗布部分がジメチルシリコン、および容器内に浸漬するチューブがポリエチレンで構成される容器が硬度の面から好ましい。
【００１３】
さらに１回使い捨てタイプのユニットドーズ容器では、一般に成形しやすく、スクイズ性に優れるポリエチレンが材質に用いられているが、ミノキシジル製剤では経時着色や、製剤中の溶媒の揮散が著しいという問題があった。
【００１４】
しかし、上記ＰＥＴ（ポリエチレンテレフタレート）を用いれば着色および溶媒の揮散の何れも防ぐことができる。
【００１５】
本発明は、育毛剤として用いられる通常の剤型、例えばローション剤、乳液、懸濁剤、トニック剤、クリーム剤、軟膏剤などの製剤で着色防止効果を得ることができる。
【００１６】
製剤の成分としてはミノキシジル以外にも、本発明の効果を損なわない限り、塩酸ジフェンヒドラミン、塩酸イソペンジル等の抗ヒスタミン剤、グリチルレチン酸、グアイアズレン等の抗炎症剤、尿素、サリチル酸等の角質溶解剤、グルコン酸クロルヘキシジン、イソプロピルメチルフェノール、第４級アンモニウム塩、ヒノキチオール、ピロクトンオラミン等の殺菌剤、ヒアルロン酸ナトリム、グリセリン、コンドロイチン硫酸等の保湿剤、イチイ、ボタンピ、カンゾウ、オトリギソウ、附子、ビワ、カワラヨモギ、コンフリー、アシタバ、サフラン、サンシン、ローズマリー、セージ、モッコウ、セイモッコウ、ホップ、プラセンタ等の動植物の抽出物、酢酸レチノール、塩酸ピリドキシン、アスコルビン酸、硝酸チアミン、シアノコバラミン、ビオチン、酢酸トコフェロール等のビタミン類、スクワラン、流動パラフィン、レシチン等の油分、ポリオキシエチレン硬化ヒマシ油等の界面活性剤、メントール、カンフル等の精油成分、ジブチルヒドロキシトルエン、イソプロピルガレート等の抗酸化剤、エチレンジアミンテトラアセテートまたはその塩等の金属イオン封鎖剤、色素、香料等を配合することができる。
【００１７】
以下、試験例により本発明を詳細に説明する。
【実施例１】
【００１８】
以下に示した処方の育毛剤を常法により調製し、ポリエチレンテレフタレート製の容器に充填した。
（処方）
ミノキシジル           １．０ｇ
プロピレングリコール ２０．０ｇ
エタノール           ６０．０ｍｌ
精製水           全１００．０ｍｌ
【００１９】
試験例１（製剤の経時着色に及ぼすポリエチレンテレフタレートの容器の効果）
実施例１の処方に示した内容物を表１に示す各種の材質から成る容器に入れ、室温、窓際太陽光の条件で６Ｍまで保存し、終了後製剤の着色を４２０ｎｍの吸光度で評価した。結果を表１に示す。
【００２０】
【表１】
0005323324.tif 000002
【産業上の利用可能性】
【００２１】
本願発明はミノキシジルを配合した育毛剤、医薬品として使用可能である。
(57)【特許請求の範囲】
【請求項１】
ドア本体とドア枠とクローザーとクローザーブラケットとを備え、ドア本体の上部は、円弧状をなすと共に、ドア枠の上枠もドア本体の上部に沿って円弧状をなしており、クローザーは、ドア本体上部の一側面に取り付けるクローザー本体と、一端側をクローザー本体に取り付けてあり且つ他端側に他端側取付部を設けてある連結アームを有し、クローザーブラケットは、上枠に沿って円弧状をなし且つ上枠の見込面に固定する上枠側取付片と、下端面が水平であり且つ連結アームの他端側取付部を水平回転自在に軸着する連結アーム取付片を有することを特徴とするドア。
【発明の詳細な説明】
【技術分野】
【０００１】
本発明は、ドアクローザーを有するドアに関するものである。
【背景技術】
【０００２】
ドアの開閉を制御するドアクローザーがあり、ドアクローザーは、ドア側に取り付けるクローザー本体と、ドア枠に取り付けるクローザーブラケットと、クローザー本体とクローザーブラケットの間に連結する連結アームとから構成されている。そして、一般的な矩形ドアの場合、当然ドア枠についても矩形枠であることから、上記クローザーブラケットの上枠側取付片は、水平な形状をなすものが使用される（非特許文献１参照。）。
【非特許文献１】「三協立山アルミ  玄関ドア総合カタログ２００７−２００８  ＳＴＪ０１７７Ｊ」、９５頁  三協立山アルミ株式会社発行、平成１９年４月６日独立行政法人工業所有権情報・研修館受領日」
【発明の開示】
【発明が解決しようとする課題】
【０００３】
ところが、近年のドア形態の多様化に伴い、上部が円弧状をなすドア本体についてもドアクローザーを取り付ける必要があり、この場合、上記したような一般的なクローザーブラケットでは、上枠側取付片が上枠の形状に対応しない問題点があった。
本発明は、上記課題を鑑みてなされたものであり、上部が円弧状をなすドア本体であっても見栄えよく簡単にクローザーを取り付けることのできるドアを提供することにある。
【課題を解決するための手段】
【０００４】
本発明の請求項１記載の発明は、ドア本体とドア枠とクローザーとクローザーブラケットとを備え、ドア本体の上部は、円弧状をなすと共に、ドア枠の上枠もドア本体の上部に沿って円弧状をなしており、クローザーは、ドア本体上部の一側面に取り付けるクローザー本体と、一端側をクローザー本体に取り付けてあり且つ他端側に他端側取付部を設けてある連結アームを有し、クローザーブラケットは、上枠に沿って円弧状をなし且つ上枠の見込面に固定する上枠側取付片と、下端面が水平であり且つ連結アームの他端側取付部を水平回転自在に軸着する連結アーム取付片を有することを特徴とする。
【発明の効果】
【０００５】
請求項１記載の発明によれば、上部が円弧状をなすドア本体の上枠に沿って、クローザーブラケットの上枠側取付片が円弧状をなすことから、上枠の見込み面と一致して取り付けできると共に、連結アーム取付片の下端面が水平となることで、連結アームが水平な状態でクローザーをドア本体に取り付けできる。これにより、上部が円弧状をなすドア本体であってもクローザーを見栄えよく簡単に取り付けることができる。
【発明を実施するための最良の形態】
【０００６】
以下に、図面に基づいて本実施による格子の実施の形態を説明する。
図１（ａ）は、図２中Ａを拡大して示す本実施によるドアの正面図であり、（ｂ）は、図２中Ｂ−Ｂ線断面図である。
【０００７】
本実施によるドアは、図２を参照すれば、ドア本体８と、ドア枠と、ドアクローザー２と、クローザーブラケット１とから構成するもので、ドア本体８は、上部が円弧状をなすものである。ドア枠は、ドア本体８の上部の形状に対応して上枠７が円弧状をなしている。ドアクローザー２は、クローザー本体２ａと連結アーム２ｂとからなり、クローザー本体２ａは、本実施のものでは、ドア本体８他方側面の上部に固定してあり、上端面に垂直軸回りする軸体９を有してある。連結アーム２ｂは、軸体６で２本のアーム材を水平回転自在に軸止めしてリンクさせたものであり、連結アーム２ｂの一端側には、クローザー本体２ａの軸体９に対して水平回転自在に取り付けできる一端側取付部１２ａが設けてあり、他端側においても一端側取付部１２ａと同様に、垂直軸に対して水平回転自在に取り付けできる他端側取付部１２ｂを設けてある。
【０００８】
クローザーブラケット１は、上枠側取付片１ａと連結アーム取付片１ｃと上枠側取付片１ａと連結アーム取付片１ｃを上下につなぐつなぎ片１ｂとから構成してある。まず、連結アーム取付片１ｃは、図１（ｂ）のように、下端面が水平に形成してあり、連結アーム２ｂの他端側取付部１２ｂと軸体５により水平回転自在に軸着してある。上枠側取付片１ａは、図１（ａ）のように、上枠７との間に台座１ｄが設けてあり、台座１ｄの上枠側取付面１１が上枠７の見込面１０に沿う円弧状に形成してあり、上枠側取付面１１の下方からネジを上枠７ａまで挿通してネジ止めすることにより、クローザーブラケット１を上枠７の見込み面１０の湾曲に沿って取り付けることができる。また、つなぎ片１ｂは、上枠側取付片１ａの他方側端縁と連結アーム取付片１ｃの一方側端縁とを上下方向につなぐと共に、つなぎ片１ｂは、上枠７の低い側（図１（ａ）図示左側）が高い側（図１（ａ）図示右側）に比べて短く長く形成してあることで、連結アーム取付片１ｃが略水平になる。また、連結アーム２ｂがクローザー本体２ａの前側（図１（ｂ）では他方側）に位置するため、上枠側取付片１ａと連結アーム取付片１ｃを斜めに連結するものである。これにより、つなぎ片１ｂが上枠側取付片１ａと連結アーム取付片１ｃとの間にクローザー２の連結アーム２ｂの作動するスペースを形成し、ドア本体１の開閉を妨げないようになっている。
【０００９】
本発明は、上記の実施形態に限るものではなく、本実施のものでは、上枠７の見込み面１０と上枠側取付片１ａとの間に台座１ｄを設けてあるものについて説明したが、台座１ｄを設けずに、上枠側取付片１ａの上端面を円弧状に形成して上枠側取付面１１としてもよい。また、上枠７のＲ勾配の相違によって上枠側取付片１ａの上枠側取付面１１を適宜変更できるものである。また、本実施のクローザーブラケット１によれば、ドア本体８の開閉が左右若しくは一方側、他方側のいずれであってもクローザー２を取り付けることが可能である。
【図面の簡単な説明】
【００１０】
【図１（ａ）（ｂ）】（ａ）は、図２中Ａを拡大して示す正面図であり、（ｂ）は、図２中Ｂ−Ｂ断面図である。
【図２】本実施によるドアの全体を示す正面図である。
【符号の説明】
【００１１】
１  クローザーブラケット
１ａ  上枠側取付片
１ｃ  連結アーム取付片
２  クローザー
２ａ  クローザー本体
２ｂ  連結アーム
７  上枠
８  ドア本体
１０  見込み面
１２ｂ  他端側取付部
【図１（ａ）（ｂ）】
0005188207.tif 000002
【図２】
0005188207.tif 000003
(57)【特許請求の範囲】
【請求項１】
流体を絞る細孔からなるノズル部と、当該ノズル部の周囲に形成した吸込室と、当該吸込室及び上記ノズル部と連通したディフューザとからなるものにおいて、吸込室を長尺状の復水集合管と連通して、当該長尺状の復水集合管に弁手段を介在して複数の復水排出管を接続すると共に、ディフューザに管路を介して蒸気分配供給管と連通して、当該蒸気分配供給管に弁手段を介在して複数の蒸気供給管を接続したことを特徴とする蒸気エゼクタ。
【発明の詳細な説明】
【技術分野】
【０００１】
本発明は、駆動蒸気をノズルから高速で噴出させて、その流体の速度エネルギにより吸込室に吸引力を発生する蒸気エゼクタに関する。
【背景技術】
【０００２】
蒸気エゼクタは、ノズルを内蔵した吸引室の入口側に圧力調節弁を接続し、ディフューザの出口側に圧力センサを取り付けて、この圧力センサの検出値に応じて圧力調節弁の弁開度を駆動制御することによって、吸引室で発生する吸引力を制御することができるものである。
【０００３】
この蒸気エゼクタにおいては、高温復水の保有熱量を有効に活用することができない問題があった。通常、蒸気は仕事をして熱を奪われることによって凝縮して復水となるが、この復水は高温状態であり、いまだ多くの熱量を保有しているために、外部へ廃棄するのではなく、回収することによって熱エネルギーの有効活用を図るのであるが、この蒸気エゼクタでは、高温復水を、あるいは、高温復水の再蒸発した再蒸発蒸気を、回収する吸入蒸気管４が１本であるために、高温復水の保有熱量を効率良く回収することができないためである。
【特許文献１】特開２００３−２６９４００号公報
【発明の開示】
【発明が解決しようとする課題】
【０００４】
解決しようとする課題は、複数の高温復水管から効率良く高温復水の保有する熱量を回収することのできる蒸気エゼクタを提供することである。
【課題を解決するための手段】
【０００５】
本発明は、流体を絞る細孔からなるノズル部と、当該ノズル部の周囲に形成した吸込室と、当該吸込室及び上記ノズル部と連通したディフューザとからなるものにおいて、吸込室を長尺状の復水集合管と連通して、当該長尺状の復水集合管に弁手段を介在して複数の復水排出管を接続すると共に、ディフューザに管路を介して蒸気分配供給管と連通して、当該蒸気分配供給管に弁手段を介在して複数の蒸気供給管を接続したものである。
【発明の効果】
【０００６】
本発明の蒸気エゼクタは、複数の復水排出管を接続した復水集合管を、吸込室と連通したことにより、複数の高温復水排出管から効率良く高温復水の保有する熱量を回収することができる。
【発明を実施するための最良の形態】
【０００７】
本発明は、吸込室を復水集合管と連通するものであり、この復水集合管としては、数多くの復水排出管を接続することができるように長尺状の管を用いることが好ましい。
【実施例１】
【０００８】
図１において、エゼクタ１と、エゼクタ１の吸込室２と管路５を介して連通した復水集合管３と、復水集合管３に接続した複数の復水排出管４とで蒸気エゼクタを構成する。
【０００９】
複数の復水排出管４には、管路を開閉する弁手段としての開閉弁１１を介在する。また、長尺状の復水集合管３の底部に管路１２を介在して蒸気トラップ１３を取り付ける。蒸気トラップ１３は、自動弁の一種であり、入口側から流入してくる復水と蒸気の混合流体の内で、復水だけを出口側へ排出して、一方、蒸気は出口側へ排出することがないものである。
【００１０】
エゼクタ１のディフューザ６は、管路７を介して蒸気分配供給管８と接続する。蒸気分配供給管８には、複数の蒸気供給管９を接続する。蒸気供給管９には、それぞれ開閉弁１０を介在する。
【００１１】
エゼクタ１の吸込室２に内蔵した図示しないノズル部の入口端を、駆動蒸気供給管１４と接続する。この駆動蒸気供給管１４から高圧の蒸気がエゼクタ１へ供給されることによって、吸込室２で吸引力を発生することができるものである。
【００１２】
複数の復水排出管４の端部は、図示しない蒸気使用装置等の復水排出箇所と接続する。従って、複数の復水排出管４から復水集合管３内へ、蒸気使用装置等で発生した高温の復水が流入する。復水集合管３内の高温復水の一部は再蒸発して再蒸発蒸気となり、エゼクタ１の吸込室２へ吸引され、駆動蒸気と混合されてディフューザ６から蒸気分配供給管８へと至る。
【００１３】
復水集合管３内で再蒸発しなかった残余の復水は、蒸気トラップ１３から自動的に外部へ排出される。
【００１４】
蒸気分配供給管８に接続した複数の蒸気供給管９の端部は、図示しない熱交換器等の蒸気使用装置と接続する。従って、エゼクタ１から供給される駆動蒸気と再蒸発蒸気の混合蒸気は、それぞれの蒸気供給管９から、必要とされる量だけ、必要とされる蒸気使用装置へ供給されるものである。
【００１５】
本実施例においては、複数の復水排出管４を接続した復水集合管３を、吸込室２と連通したことにより、複数の高温復水排出管４から効率良く高温復水の保有する熱量を回収することができる。
【図面の簡単な説明】
【００１６】
【図１】本発明の蒸気エゼクタの実施例を示す構成図。
【符号の説明】
【００１７】
１  エゼクタ
２  吸込室
３  復水集合管
４  復水排出管
６  ディフューザ
８  蒸気分配供給管
９  蒸気供給管
１３  蒸気トラップ
１４  駆動蒸気供給管
【図１】
0005188830.tif 000002
(57)【特許請求の範囲】
【請求項１】
容量が０．５〜３．０ｌ、厚さが０．５〜１．０ｍｍ、材質がポリプロピレン、ポリエチレン、シリコン等の空気を溜めることができる容器と挿入接続されている容器内の隅々まで吸い込みを可能にするための通気用の孔（先端から約１０ｃｍ程孔設）がある、直径が１０〜１５ｍｍ程、材質がビニール等のつぶれにくい接続部につばのあるパイプとくわえのあるホースの組み合わせ構造
【発明の詳細な説明】
【技術分野】
【０００１】  本発明は、「吐く息吸う息」に関する。
【背景技術】
【０００２】  津波に巻き込まれ水中に沈んだ時、呼吸ができなくなり命を落とす可能性がある。
火災時に煙に巻かれて呼吸ができなくなり、一酸化炭素中毒で命を落とす可能性がある。
その時に「吐く息吸う息」があれば、自分が吐いた息を容器に溜め、再度吸い込んで一時的に呼吸することができる。
呼気の中の酸素量の減少はあるが、少しの間、水中や煙の中で呼吸ができるので、命を救うための道具として役立つ可能性がある。
【先行技術文献】
【特許文献】
【特許文献１】
【非特許文献】
【非特許文献１】
【発明の概要】
【発明が解決しようとする課題】
【０００３】  津波に巻き込まれ水中に沈んだ時、呼吸ができなくなり命を落とす可能性がある。
火災時に煙に巻かれて呼吸ができなくなり、一酸化炭素中毒で命を落とす可能性がある。
その時に「吐く息吸う息」があれば、自分が吐いた息を容器に溜め、再度吸い込んで一時的に呼吸することができる。
呼気の中の酸素量の減少はあるが、少しの間、水中や煙の中で呼吸ができるので、命を救うための道具として役立つ可能性がある。
【課題を解決するための手段】
【０００４】  本発明は上記目的を達成するために考案された、「吐く息吸う息」である。
呼気を溜める容器は子供用から大人用よして０．５〜３．０リットルの各種類ある。
容器は膨らんだり縮んだりできる厚手のビニール、ゴム、シリコン等でできている。
容器には呼気を出し入れするための直径１０〜１５ｍｍ程のパイプと呼気を送る直径１０〜１５ｍｍ程のホースが接続されている。
容器とパイプの接続部はねじ式で蓋締めされている。
蓋にはパイプを通す孔があけられている。
容器にはポリエチレン等のつぶれにくい材質のパイプが、容器内では容器の底までの長さに、容器外は３〜５ｃｍ程度突き出ている。
容器の口元はパイプに厚さ約１〜２ｍｍのつばがあり、蓋を閉めればパイプが容器に固定される。
蓋のねじきり部分はパイプのつばの厚さ分長く設けてある。
容器内のパイプには通気用の孔（直径３ｍｍ程度が２０ｍｍ間隔程度）が開けてある。
パイプに通気用の孔が先端だけであると、先端周辺の空気が一気に吸われ、容器がつぶれ先端をふさぐ状態になりそのうち吸引が困難になる。その吸引困難を防止するために、パイプの側面に通気用の孔を設けてある。
容器の蓋部分のパイプにはつばがあり、蓋を閉めると容器と蓋につばが挟まり空気が漏れないようになっている。
容器外のパイプにはフレキシブルなホースを差し込み、抜けないようにバンド固定する。
フレキシブルなホースの口側はくわえを加工してあり、口でくわえやくなっている。
呼気を容器に出し入れするためのホースが、子供用から大人用として約０．３〜０．５ｍの長さで空気漏れのないように取り付けてある。
容器を収納できる専用のベルトが付いた袋にセットする。
容器を専用ベルトのベルトで肩、胸で固定する。
水中や煙の中でホースをくわえる。
呼吸が苦しくなったら、息を吐き、容器内に呼気を移す。
再度、容器内の呼気を吸い、呼吸を行う。
何回か呼吸ができるが、呼気内の酸素量が減少していくので、必要以上続けない。
新たに呼吸を行う場合は、ホースを口からはずし、容器を押さえて容器内の呼気を空にしておく。
この状態にして再度使用を行う。
【発明の効果】
【０００５】  上述したように本発明の「吐く息吸う息」は、水中や煙の中でしばらく呼吸できる用具である。
水中や煙の中で呼吸出来ない事態になった時、この「吐く息吸う息」があれば、命を救える可能性がある。
【図面の簡単な説明】
【０００６】
【図１】「吐く息吸う息」を示した正面図
【発明を実施するための形態】
【０００７】以下、本発明の実施の形態を図１〜図２に基づいて説明する。
図１において１は呼気容器である。        図１において７はくわえである。
図１において２はパイプである。          図１において８はバンドである。
図１において３は通気孔である。          図１において９は専用ベルトである。
図１において４はつばである。            図１において１０は専用収納袋である。
図１において５は蓋である。              図１において１１は袋とじひもである。
図１において６はホースである。
【産業上の利用可能性】
【０００８】津波で水中に潜った時、火災で煙に巻かれた時、自分の吐いた息を容器に溜め、酸素量は減少しているが、再度何回か呼吸できるので、救命具として扱うことが可能である。。
【符号の説明】
【０００９】      １：呼気容器                      ７：くわえ
２：パイプ                        ８：バンド
３：通気孔                        ９：専用ベルト
４：つば                        １０：専用収納袋
５：蓋                          １１：袋とじひも
６：ホース
【図１】
0005185414.tif 000002
(57)【特許請求の範囲】
【請求項１】
開口部を有する軟質容器の保持具であって、  前記容器を狭持するための一対の狭持部材が備えられ、狭持部材にて軟質容器を狭持した状態で前記狭持部の、前記開口部に対応する部位が開放されており、前記狭持部材は一端縁が接続され、他端縁は係脱可能に形成され、前記狭持部材の一端縁および他端縁に、取手が設けられており、前記狭持部材は軟質容器よりも硬質の部材にて形成されていて、  前記狭持部材の開口部に対応する部位に設け、前記狭持部材の少なくとも一方に前記軟質容器を固定するための帯状のベルトに、少なくとも一つ以上の折曲可能部を、幅方向に設けたことを特徴とする軟質容器の保持具。
【発明の詳細な説明】
【技術分野】
【０００１】
この発明は軟質容器の保持具に関する。
【背景技術】
【０００２】
従来、軟質容器の保持具に関するものはなかった。
【発明の概要】
【発明が解決しょうとする課題】
【０００３】
シャンプーや洗剤のような液体製品の詰め替え用によく使用される軟質容器は、その性質上持つとクニャクニャして詰め替えるとき溢してしまったり、強く持ったりすると液が飛び出ることがあった、それを防ぐために両手で軟質容器を持たなければならなかったが、空になった本体の容器も、中味が無いため軽くて倒れやすいので手でおさえる必要があった。本発明はそれらの問題点を解消するために、軟質容器の保持具を提供するものである。
【課題を解消するための手段】
【０００４】
本発明は、開口部を有する軟質容器の保持具であって、前記容器を狭持するための一対の狭持部材が備えられ、狭持部材にて軟質容器を狭持した状態で前記狭持部の、前記開口部に対応する部位が開放されており、前記狭持部材は
一端縁が接続され、他端縁は係脱可能に形成され、前記狭持部材の一端縁および他端縁に、取手が設けられており、前記狭持部材は軟質容器よりも硬質の部材にて形成されていて、前記狭持部材の開口部に対応する部位に設け、前記狭持部材の少なくとも一方に前記軟質容器を固定するための帯状のベルトに、少なくとも一つ以上の折曲可能部を、幅方向に設けたことを特徴とする軟質容器の保持具である。
【発明の効果】
【０００５】
シャンプーや洗剤などのように、軟質容器が使用されているのは殆んどが液体であったり、材質の性質上持つとクニャクニャして扱いにくいものであったが、本発明の軟質容器の保持具を使うことによって、軟質容器を安定して狭持することができる。
【０００６】
軟質容器の保持具には、詰め替え用製品の軟質容器に設けられている注ぎ口を、詰め替えを必要とする空容器の注ぎ口に的確に挿入することができる開口部を有している。そのため、軟質容器の中味を溢すことなく詰め替えることができる。
【０００７】
又、軟質容器の保持具には、保持具から軟質容器が抜け落ちるのを防止するためのベルトを設けて、大小様々ある軟質容器に適応できるよう複数の調節孔が施されている。
【０００８】
さらにベルトには、軟質容器に装着した状態のとき、底になる部分に複数の幅方向に折罫を入れることにより、キャタピラのように軟質容器の底とそぐことができる。
【０００９】
それによって、軟質容器の保持具は倒れることなく立てて置くことができるので、軟質容器に詰め替え用の中味が残っていても、そのまま保存することができる。
【００１０】
その他にも軟質容器の保持具には、片手で保持具を持ち、もう片方の手で空の詰め替え容器を持つことができるように取手が設けられているので、両手で失敗なく作業することができる。
【００１１】
上記の構成により、本発明の軟質容器の保持具は、環境に配慮しゴミを減らす目的で、多くの製品に利用されている軟質容器の問題点を解消するためのものである。
【発明を実施するための形態】
【００１２】
本発明の実施の形態を実施例によって説明する。
本発明の軟質容器の保持具は、図１、図２に示すように、軟質容器１０を狭持するための一対の狭持部材１が備えられたものである。前記狭持部材１には軟質容器１０のそそぎ口１１を固定するための開口部２が設けられていて、その開口部２に対応する部位（図３中１２）は開放されている。
【００１３】
又、前記開放部１２には、少なくとも一つ以上の折曲可能部５を幅方向に施したベルト４と、前記狭持部材１の一端縁および他端縁に、軟質容器１０を片手で保持できるよう固定するための取手３が設けられている。
【００１４】
図２の、前記開放部端縁１２Aにベルト４の一端を取り付け、開放部他端１２Bに係脱可能に係止して、底部（図３中１３）を形成したものである。
【００１５】
又は、図１の前記開放部両端１２A、１２Bにベルト４の一端をそれぞれ取り付けて、ベルト４A、ベルト４Bを係脱可能に係止してもよい。
【００１６】
図４に示す実施例は、軟質容器１０を狭持部材１で保持した状態である。前記狭持部材１の開口部２と軟質容器１０のそそぎ口１１を、調節孔７とこはぜ６で調節したベルト４で固定し、さらに狭持部材１に取り付けた止め具９と止め孔８で止め狭持し易くし、図５に示す空の本体１４の挿入口１５へ詰め替える。このとき、狭持部材１に取り付けた止め具９と止め孔８は、面ファスナー又はホック等を使用してもよい。
【００１７】
図１、図２のそれぞれに示す折曲可能部５は、軟質容器１０に狭持部材１が密着して保持し易くなるよう折曲し、さらに、詰め替え時の最後に狭持部材１の上から軟質容器１０を両手で挟んで、軟質容器１０の中味を残さず出し切ることができる。又、ベルト４に施した折曲可能部５は、軟質容器１０の大きさにも対応することができる。
【００１８】
又、図３の狭持部材１の底部１３に形成された部分に施した折曲可能部５は、軟質容器１０を倒すこと無く立てておくことができるよう設けられている。
【図面の簡単な説明】
【００１９】
【図１】本発明の実施形態を示す平面図
【図２】本発明の実施形態を示す平面図
【図３】本発明の実施形態を示す斜図
【図４】使用状態を示す斜図
【図５】使用状態を示す斜図
【図６】使用状態を示すベルトの斜図
【図７】使用状態を示す止め具の斜図
【符号の説明】
【００２０】
１    狭持部材
２    開口部
３    取手
４    ベルト
５    折曲可能部
６    こはぜ
７    調節孔
８    止め孔
９    止め具
１０    軟質容器
１１    そそぎ口
１２    開放部
１３    底部
１４    空の本体
１５    挿入口
【要約】      （修正有）【課題】ぐにゃぐにゃしてもちにくい軟質容器を持ちやすくし、中味をこぼさず詰め替えするための保持具を提供する。【解決手段】柔軟性と防水性を兼ね備えた材質ででき、軟質容器１０を保持するための狭持部材１に開口部２を有し、軟質容器１０を固定するベルト及び取手３を設ける。【選択図】図４【図１】
0005185428.tif 000002
【図２】
0005185428.tif 000003
【図３】
0005185428.tif 000004
【図４】
0005185428.tif 000005
【図５】
0005185428.tif 000006
【図６】
0005185428.tif 000007
【図７】
0005185428.tif 000008
(57)【特許請求の範囲】
【請求項１】
粘度を有する複数の材料成分を分配するための比例分配器であって、
第１の端部と第２の端部を持つ電動モーターと、
モーターの第１の端部に付設されていて、第１の材料の供給源に接続され、第１の圧力の出力を持つ第１往復ピストンポンプと、
モーターの第２の端部に付設されていて、第２の材料の供給源に接続され、第２の圧力の出力を持つ第２往復ピストンポンプと、
使用者が設定値を選択でき、第１及び第２の圧力を継続的に比較し、圧力の高いほうを設定値に調整する制御装置と、
を有する比例分配器。
【発明の詳細な説明】
【技術分野】
【０００１】
本願は2002年11月1日に出願されたアメリカ合衆国出願第60/423,342号の利益を主張する。
【背景技術】
【０００２】
複数成分の比例分配器は、ポリウレタンや他の発泡体等の材料を混合するために使用されていることはよく知られている。このような装置は、従来単純な機械式比例分配器又は複雑でずっしりした油圧式のユニットであった。一方で、アメリカ合衆国特許第3,196,802号で示されているような電動ユニットは複数成分の比例分配に使用されているが、このようなユニットは混合割合と圧力の両方において正確な制御が要求されるといわれる速硬化性材料のために設計されたものではない。
【特許文献１】アメリカ合衆国特許第3,196,802号明細書
【発明の開示】
【０００３】
従って、この発明の目的は電動式で、容易に製造されかつ点検され、容易に搬送され、２つの成分を正確に計測できる比例分配器を提供することにある。
【０００４】
この目的のため、比例分配器は、両端が往復ピストンポンプに接続されているギヤボックスとクランク軸とを備えた可変速制御された直流電動機を持つ。このようなモーターや、ギヤボックスや、クランク軸は、「ＵＬＴＲＡ」の商標でこの発明の譲渡人によって販売されている電動エアレスペイントスプレーに使用されていることはよく知られている。２つのポンプからの出力は、各出力の圧力が測定されるマニホルドへ送られる。ユーザーが設定圧力（例えば1000psi）をセットすると、制御装置は第１及び第２の成分(一般的には触媒として設計されたものすなわちＡ成分及び樹脂すなわちＢ成分)との圧力を比較し、そして設定値に対し相対的に高い値を示すものを制御する。現在のほとんどの材料が1:1、すなわちそれぞれの成分が同量の割合で設計されている。粘度と温度は様々であるため、それぞれの成分の同量が（スプレーガンや他のアプリケータでの混合のために）くみ上げられはするが、圧力は一方または他方で高いということがありうる。従って、制御装置は継続的に圧力を比較し、高い方を設定値に調整する。
【０００５】
割合の正確性は両方の出力圧力を継続的に調べることによって観察される。もし片方が予め決められている割合(好ましい実施例では50%)より下回る場合、アラームが鳴るか、作動は休止する。もちろんこのしきい値は様々である。
【０００６】
この発明のこれらの又はその他の問題点及び利点は、以下の説明と、添付されている図面によってより十分に明確になる。何枚もの図を通じて同じ参照数字は同一又は類似の部分を示す。
【発明を実施するための最良の形態】
【０００７】
この発明の比例分配器は、図１及び２に示されており、全体が10で指定されている。この目的のため、比例分配器10は、往復ピストンポンプ18に接続されたギヤボックス14及びクランク軸16を両端に備えた可変速度制御された直流電動機12を持つ。このようなモータや、ギヤボックスや、クランクは「ＵＬＴＲＡ」の商標でこの発明の譲受人によって販売されている電動エアレスペイントスプレーに使用されていることはよく知られている。２つのポンプ18の出力18aはヒータ20に送られ、そこからマニホルド22に送られ、各出力の圧力が圧力センサ24によって測定される。
【０００８】
ユーザーが設定圧力（例えば1000psi）をセットすると、制御装置26は２つの成分の圧力を比較し、設定値から相対的にみて高いほうを制御する。この直流電動機の制御はアメリカ合衆国特許第4,397,610号に示されているタイプのものであり、その内容は参照によりここに組み込まれている。
【０００９】
今日あるほとんどの材料は1対1の比率、つまりどの成分も同量になるように設計されている。粘度と温度が様々であるため、それぞれの成分は同量で（スプレーガン又は他のアプリケータにおいて混合する目的で）くみ上げられはするが、その圧力は一方又は他方がより高くなることがある。よって、制御装置26は継続的に圧力を比較し、高い方を設定値に調整する。
【００１０】
比率の正確性は両方の出力圧力を継続的に調べることにより監視されている。もし一方の側が予め決められた設定値の割合（好ましい実施例においては50%）より下回る場合アラームが作動し、運転は停止する。もちろんこのしきい値の割合は様々である。
【００１１】
比率の正確性は両方の出力圧力を継続的に調べることにより監視されている。もし一方の側が予め決められた設定値の割合（好ましい実施例においては50%）より下回る場合、アラームが作動し運転は停止する。
【００１２】
以下の請求項により規定されているように、この発明の精神及び範囲から逸脱することなく様々な変更や修正が比例分配器に対して行われることが予期されている。
【図面の簡単な説明】
【００１３】
【図１】図1はこの発明の比例分配器の正面の等角図を示す。
【図２】図2はこの発明の比例分配器の背面の等角図を示す。
【図１】
0005230057.tif 000002
【図２】
0005230057.tif 000003